(57)【要約】【課題】本発明は、光学結像分野に関し、光学レンズおよび光学レンズユニットを提供する。【解決手段】光学レンズは、中央位置にある光学部と、前記光学部を周回する周辺部とを含み、前記周辺部は、物体側を向く物体側面と、像側を向く像側面と、前記物体側面と前記像側面とを接続する側面とを含み、前記側面は、前記光学部を周回する周方向に沿って延在する円周面と、前記円周面に接するレンズカット面とを含み、前記周辺部には、支持部が設けられ、前記支持部は、前記円周面に隣接して設けられ、かつ、前記円周面と互いに間隔をあけている。本発明は、このような光学レンズを有する光学レンズユニットをさらに提供する。本発明に提供される光学レンズの光学レンズユニットにおける組立安定性が向上し、かつ、光学レンズの重量がより軽くなるので、光学レンズユニットの重量を低減させ、持ち運びに便利である。【選択図】図１
2020021061.tif 000002
【特許請求の範囲】
【請求項１】
中央位置にある光学部と、前記光学部を周回する周辺部とを含む光学レンズにおいて、前記周辺部は、物体側を向く物体側面と、像側を向く像側面と、前記物体側面と前記像側面とを接続する側面とを含む光学レンズであって、
前記側面は、前記光学部を周回する周方向に沿って延在する円周面と、前記円周面に接するレンズカット面とを含み、
前記周辺部には、支持部が設けられ、前記支持部は、前記円周面に隣接して設けられ、かつ、前記円周面と互いに間隔をあけている、ことを特徴とする光学レンズ。
【請求項２】
前記支持部は、前記周辺部から離間する端面と、前記端面から前記周辺部まで延在する側壁を含み、
前記側壁は、光軸に隣接する第１表面と、前記第１表面に対向して設けられる第２表面と、前記第１表面と前記第２表面とを接続する第３表面とを含む、ことを特徴とする請求項１に記載の光学レンズ。
【請求項３】
前記第１表面および前記第２表面は、いずれも前記光軸を囲む弧面である、ことを特徴とする請求項２に記載の光学レンズ。
【請求項４】
前記支持部の数は、複数であり、
複数の前記支持部は、前記光軸の周りに等間隔に設けられている、ことを特徴とする請求項３に記載の光学レンズ。
【請求項５】
前記レンズカット面および前記円周面の数は、いずれも２つであり、
２つの前記レンズカット面および２つの前記円周面は、前記光学レンズの光軸の周りに順に交互に設けられている、ことを特徴とする請求項１に記載の光学レンズ。
【請求項６】
前記レンズカット面は、平面である、ことを特徴とする請求項５に記載の光学レンズ。
【請求項７】
前記光学レンズは、円形光学レンズがカットされてなるものであり、
前記光軸方向における前記円形光学レンズの投影は、円形である、ことを特徴とする請求項１に記載の光学レンズ。
【請求項８】
光学レンズユニットであって、前記光学レンズユニットは、請求項１〜７のいずれか１項に記載の光学レンズを含む、ことを特徴とする光学レンズユニット。
【発明の詳細な説明】
【技術分野】
【０００１】
本発明は、光学結像分野に関し、特に光学レンズと光学レンズユニットに関する。
【背景技術】
【０００２】
科学技術の継続的な発展に伴い、電子機器が常にインテリジェント化へ進展しており、ユーザが随時に撮影する需要を満たすために、デジタルカメラに加えて、携帯型電子機器、例えばタブレットパソコン、携帯電話などにも撮像機能を有するレンズモジュールが配置されている。従来技術におけるレンズモジュールは、レンズ鏡筒と、前記レンズ鏡筒内に収容される順に重ねて設けられた複数のレンズとを含み、現在、光学レンズユニットでは、通常、円形の光学レンズが用いられている。
【発明の概要】
【発明が解決しようとする課題】
【０００３】
本発明の発明者は、従来の光学レンズには少なくとも以下の問題が存在すると見出した。即ち、円形の光学レンズは、大きな空間を占め、重量も重いので、光学レンズユニットの小型化設計に不利となり、光学レンズユニットを持ち運ぶのに不便である。したがって、上記問題を解決するために、新型のレンズモジュールを提供する必要がある。
【０００４】
本発明は、光学レンズユニットにおける光学レンズの組立安定性を向上させ、かつ、光学レンズの重量をより軽くして、光学レンズユニットの重量を低減させ、持ち運びに便利である光学レンズおよび光学レンズユニットを提供することを目的とする。
【課題を解決するための手段】
【０００５】
上記技術問題を解決するために、本発明の実施形態は、光学レンズを提供し、当該光学レンズは、中央位置にある光学部と、前記光学部を周回する周辺部とを含み、前記周辺部は、物体側を向く物体側面と、像側を向く像側面と、前記物体側面と前記像側面とを接続する側面とを含み、前記側面は、前記光学部を周回する周方向に沿って延在する円周面と、前記円周面に接するレンズカット面とを含み、前記周辺部には、支持部が設けられ、前記支持部は、前記円周面に隣接して設けられ、かつ、前記円周面と互いに間隔をあけている。
【０００６】
本発明は、上述した光学レンズを含む光学レンズユニットをさらに提供する。
【０００７】
本発明の実施形態は、従来技術に対して、前記側面は、前記光学部を周回する周方向に沿って延在する円周面と、前記円周面に接するレンズカット面とを含む。このような構造を有する光学レンズは、円形のレンズよりも占有空間が少なく、軽量であるため、光学レンズ全体の小型化設計に有利になる。また、前記周辺部には、支持部が設けられており、前記支持部は、前記円周面に隣接して設けられ、かつ、前記円周面と互いに間隔をあけている。光学レンズをトリミングした後、隣り合う２つの光学レンズの接触面積を小さくすることになるため、周辺部に支持部を追加的に設けることによって、隣り合う２つの光学レンズ同士が前記支持部で互いに当接することができ、光学レンズの光学レンズユニットにおける組立安定性を確保することができる。
【０００８】
また、前記支持部は、前記周辺部から離間する端面と、前記端面から前記周辺部まで延在する側壁を含み、前記側壁は、光軸に隣接する第１表面と、前記第１表面に対向して設けられる第２表面と、前記第１表面と前記第２表面とを接続する第３表面とを含む。
【０００９】
また、前記第１表面および前記第２表面は、いずれも前記光軸を囲む弧面である。光学レンズの内周縁と外周縁も円形面であるため、このように設けることで、支持部と周辺部との接触面積を大きくすることができ、即ち、支持部をより大きく設けることができ、２つのレンズが互いに当接するときに、より大きな面積を有する支持部によって、光学レンズの組立安定性をさらに向上させることができる。
【００１０】
また、前記支持部の数は、複数であり、複数の前記支持部は、前記光軸の周りに等間隔に設けられている。等間隔に設けられる支持部によって、隣り合う２つの光学レンズが互いに当接するときに力を均一に受けることができ、このような光学レンズを有する光学レンズユニットの安定性を向上させる。
【００１１】
また、前記レンズカット面および前記円周面の数は、いずれも２つであり、
２つの前記レンズカット面および２つの前記円周面は、前記光学レンズの光軸の周りに順に交互に設けられている。
【００１２】
また、前記レンズカット面は、平面である。
【００１３】
また、前記光学レンズは、円形の光学レンズがカットされてなるものであり、前記光軸方向における前記円形光学レンズの投影は、円形である。
【図面の簡単な説明】
【００１４】
【図１】本発明の第１実施形態に係る光学レンズの平面図である。
【図２】本発明の第１実施形態に係る光学レンズの斜視構造を示す模式図である。
【図３】本発明の第２実施形態に係る光学レンズユニットの断面図である。
【発明を実施するための形態】
【００１５】
以下、本発明の目の、技術案及び利点をより明瞭にするために、図面を参照しながら、本発明の各実施形態をより詳しく説明する。ただし、本発明の各実施形態において、読者が本発明をよりよく理解するために多くの技術の詳細が提出されるが、これらの技術の詳細と下記各実施形態に基づく種々の変更及び修正がなくても、本発明の特許請求の範囲において請求される技術案を実現し得ることは、当業者に理解されるべきである。
【００１６】
本発明の第１実施形態は、図１や図２に示すように、光学レンズ１００に関する。
【００１７】
光学レンズ１００は、中央位置にある光学部１と、光学部１を周回する周辺部２とを含み、周辺部２は、物体側を向く物体側面２１と、像側を向く像側面２２と、物体側面２１と像側面２２とを接続する側面２３とを含み、側面２３は、光学部１を周回する周方向に沿って延在する円周面２３１と、円周面２３１に接するレンズカット面２３２とを含み、周辺部２には支持部２４が設けられており、支持部２４は、円周面２３１に隣接して設けられ、かつ、円周面２３１と互いに間隔をあけている。
【００１８】
本発明の実施形態は、従来技術に対して、側面２３は、光学部１を周回する周方向に沿って延在する円周面２３１と、円周面２３１に接するレンズカット面２３２とを含む。このような構造を有する光学レンズ１００は、円形レンズよりも占有空間が少なく、軽量であるため、光学レンズ全体が軽量であり、持ち運びに便利である。周辺部２には、支持部２４が設けられており、支持部２４は、円周面２３１に隣接して設けられ、かつ、円周面２３１と互いに間隔をあけている。光学レンズ１００をトリミングした後、隣り合う２つの光学レンズ１００の接触面積を小さくすることになるため、周辺部に支持部２４を追加的に設けることによって、隣り合う２つの光学レンズ１００同士が支持部２４で互いに当接することができ、光学レンズ１００の光学レンズユニットにおける組立安定性を確保するとともに、レンズカット面２３２の位置について大きな操作性を有すること、すなわち、光学レンズをより小さくするように光学レンズを大きくトリミング可能であることを確保することができる。
【００１９】
具体的には、支持部２４は、周辺部２から離間する端面２４１と、端面２４１から周辺部２まで延在する側壁２４２とを含み、側壁２４２は、光軸ＯＯ´に隣接する第１表面２４２１、第１表面２４２１に対向して設けられる第２表面２４２２と、第１表面２４２１と第２表面２４２２とを接続する第３表面２４２３とを含む。
【００２０】
好ましくは、第１表面２４２１と第２表面２４２２とは、いずれも光軸ＯＯ´を囲む弧面である。光学レンズ１００の内周縁と外周縁も円形面であるため、このように設けることで、支持部２４と周辺部２との接触面積を大きくすることができ、即ち、支持部２４をより大きく設けることができ、２つのレンズが互いに当接するときに、より大きな面積を有する支持部２４によって、光学レンズ１００の組立安定性をさらに向上させることができる。
【００２１】
なお、本実施形態では、支持部２４の数は、複数であり、複数の支持部２４は、光軸ＯＯ´の周りに等間隔に設けられている。等間隔に設けられる支持部２４によって、隣り合う２つの光学レンズ１００が互いに当接するときに力を均一に受けることができ、このような光学レンズ１００を有する光学レンズユニットの安定性を向上させる。
【００２２】
なお、レンズカット面２３２および円周面２３１の数は、いずれも２つであり、２つのレンズカット面２３２と２つの円周面２３１とは、光学レンズ１００の光軸ＯＯ´の周りに順に交互に設けられている。
【００２３】
具体的には、レンズカット面２３２は、平面である。
【００２４】
光学レンズ１００が、円形光学レンズがカットされてなるものであり、光軸ＯＯ´方向における円形光学レンズの投影が円形であることは、理解され得る。元の円形光学レンズを元に、２本の切断線を設置して、切断後にこのような光学レンズを作製することができる。なお、異なる要望を満たすために、元の円形光学レンズを元に、他の数の切断線を設置することもでき、切断後に形成された光学レンズが同様な技術的効果を達成することができる。
【００２５】
本発明の第２実施形態は、光学レンズユニット２００に関し、図３に示すように、光学レンズユニット２００は、上述した光学レンズ１００を含み、光学レンズ１００を収容する鏡筒２０をさらに含む。
【００２６】
上述した各実施形態は、本発明を実現するための具体的な実施例であり、当業者にとって、実際の応用では、本発明の趣旨を逸脱しない範囲で形式や詳細を各種の改良を行うことが可能であると理解されるべきである。
【図１】
2020021061.tif 000003
【図２】
2020021061.tif 000004
【図３】
2020021061.tif 000005